(57)【特許請求の範囲】
【請求項１】
正極及び負極の電極端子を有する単電池を複数並べてなる単電池群の電極端子間を電気的に接続するバスバーと、前記バスバーを保持する樹脂プロテクタとを備える電池配線モジュールの、前記樹脂プロテクタを覆うカバーであって、
前記樹脂プロテクタは、前記電極端子間のピッチのずれに応じて、変形可能または移動可能とされ、
前記樹脂プロテクタの変形または移動に起因する位置ずれを調整するずれ調整部が形成され、
前記ずれ調整部は、他の部分よりも肉厚が小さい複数の薄肉部と、２つの前記薄肉部の間に形成され前記薄肉部よりも肉厚が大きい肉厚部とからなることを特徴とする電池配線モジュールのカバー。
【請求項２】
前記樹脂プロテクタには係止部が設けられ、
前記係止部に係合した状態で、前記薄肉部および前記肉厚部の並び方向と交差する方向に移動可能な被係止部が設けられていることを特徴とする請求項１に記載の電池配線モジュールのカバー。
【請求項３】
前記樹脂プロテクタに対して位置決めされる位置決め部が設けられていることを特徴とする請求項１または請求項２に記載の電池配線モジュールのカバー。
【請求項４】
正極及び負極の電極端子を有する単電池を複数並べてなる単電池群の電極端子間を電気的に接続するバスバーと、前記バスバーを保持する樹脂プロテクタと、前記樹脂プロテクタを覆うカバーとを備える電池配線モジュールであって、
前記樹脂プロテクタは、前記電極端子間のピッチのずれに応じて、変形可能または移動可能とされ、
前記カバーには、前記樹脂プロテクタの変形または移動に起因する位置ずれを調整するずれ調整部が形成され、
前記ずれ調整部は、他の部分よりも肉厚が小さい複数の薄肉部と、２つの前記薄肉部の間に形成され前記薄肉部よりも肉厚が大きい肉厚部とからなることを特徴とする電池配線モジュール。
【請求項５】
前記樹脂プロテクタには係止部が設けられる一方、
前記カバーには前記係止部に係合した状態で、前記薄肉部および前記肉厚部の並び方向と交差する方向に移動可能な被係止部が設けられていることを特徴とする請求項４に記載の電池配線モジュール。
【請求項６】
前記カバーには、前記樹脂プロテクタに対して位置決めされる位置決め部が設けられていることを特徴とする請求項４または請求項５に記載の電池配線モジュール。 
【発明の詳細な説明】
【技術分野】
【０００１】
本発明は、電池配線モジュールのカバー、及び電池配線モジュールに関する。
【背景技術】
【０００２】
電気自動車やハイブリッド車用の電池モジュールにおいては、正極および負極の電極端子を有する複数の単電池が並んで配置されている。このような電池モジュールにおいては、正極の電極端子（正極端子）および負極の電極端子（負極端子）とがバスバー等の接続部材で接続されることにより複数の単電池が電気的に接続されるようになっている。
複数の単電池を電気的に接続するために、例えば、特許文献１に記載されているような電池配線モジュールが用いられる。
【先行技術文献】
【特許文献】
【０００３】
【特許文献１】特開２０１１−８９５５号公報
【発明の概要】
【発明が解決しようとする課題】
【０００４】
上記特許文献１に記載されている電池配線モジュールでは、バスバー保持部を有する接続ユニットを複数連結し、バスバーを各接続ユニットのバスバー保持部に収容した後、単電池の電極端子が形成されている端子形成面に接続ユニットを配置して各バスバーと電極端子とを接続するようになっている。
【０００５】
電池配線モジュールの取り付けられる単電池群を構成する各単電池には、製造公差が設定されており、隣り合う単電池間には、組み付け公差が設定されている。このため、隣り合う電極端子のピッチ間隔は、製造公差、及び組み付け公差の範囲内でずれる。また、単電池の膨張等による変形によっても電極端子間のピッチのずれが生じる。
【０００６】
電極端子のピッチのずれが生じると、バスバーを電極端子に取り付けることができなくなることがあるため、ピッチのずれを吸収する公差吸収部を備えた電池配線モジュールが検討されている。
【０００７】
電池配線モジュールには、単電池群に装着された後、バスバーや電極端子等を外部と絶縁するため等の目的で樹脂製のカバーが被せ付けられるが、公差吸収部を備えた電池配線モジュールは、ピッチのずれを吸収することにより、その形状が変わることがあるため、取り付けられていたカバーが外れてしまうことがある。
【０００８】
本発明は上記のような事情に基づいて完成されたものであって、確実に取り付けることのできる電池配線モジュールのカバーおよびこのカバーを備える電池配線モジュールを提供することを目的とする。
【課題を解決するための手段】
【０００９】
上記課題を解決するものとして本発明は、正極及び負極の電極端子を有する単電池を複数並べてなる単電池群の電極端子間を電気的に接続するバスバーと、前記バスバーを保持する樹脂プロテクタとを備える電池配線モジュールの、前記樹脂プロテクタを覆うカバーであって、前記樹脂プロテクタは、前記電極端子間のピッチのずれに応じて、変形可能または移動可能とされ、前記樹脂プロテクタの変形または移動に起因する位置ずれを調整するずれ調整部が形成され、前記ずれ調整部は、他の部分よりも肉厚が小さい複数の薄肉部と、２つの前記薄肉部の間に形成され前記薄肉部よりも肉厚が大きい肉厚部とからなることを特徴とする電池配線モジュールのカバーである。
【００１０】
また、本発明は、正極及び負極の電極端子を有する単電池を複数並べてなる単電池群の電極端子間を電気的に接続するバスバーと、前記バスバーを保持する樹脂プロテクタと、前記樹脂プロテクタを覆うカバーとを備える電池配線モジュールであって、前記樹脂プロテクタは、前記電極端子間のピッチのずれに応じて、変形可能または移動可能とされ、前記カバーには、前記樹脂プロテクタの変形または移動に起因する位置ずれを調整するずれ調整部が形成され、前記ずれ調整部は、他の部分よりも肉厚が小さい複数の薄肉部と、２つの前記薄肉部の間に形成され前記薄肉部よりも肉厚が大きい肉厚部とからなることを特徴とする電池配線モジュールである。
【００１１】
本発明においては、電池配線モジュールのカバーに、電極端子間のピッチのずれに応じて変形または移動する樹脂プロテクタの位置ずれを調整するずれ調整部が形成されているので、単電池群を構成する単電池の製造公差や組み付け公差等に起因する電極端子同士のピッチのずれが生じて樹脂プロテクタが変形したり移動することにより位置ずれを起こしたとしても、カバーにおいて樹脂プロテクタの位置ずれを調整できる。その結果、本発明によれば、樹脂プロテクタが電極端子間のピッチのずれを吸収して位置ずれを起こしたとしても、カバーに形成したずれ調整部により位置ずれが調整されるので、カバーを電池配線モジュールに確実に取り付けることができる。
【００１２】
前記ずれ調整部は、他の部分よりも肉厚が小さい複数の薄肉部と、２つの前記薄肉部の間に形成され前記薄肉部よりも肉厚が大きい肉厚部とからなる構成なので、肉厚が小さい薄肉部が折れ曲がることで伸縮可能とすることができ、簡易な構造で樹脂プロテクタの位置ずれの調整を行うことができる。
本発明は以下の構成としてもよい。
【００１３】
前記樹脂プロテクタには係止部が設けられ、カバーには前記係止部に係合した状態で、前記薄肉部および前記肉厚部の並び方向と交差する方向に移動可能な被係止部が設けられている構成としてもよい。
【００１４】
薄肉部と肉厚部とからなるずれ調整部では、薄肉部と肉厚部の並んでいる方向における位置ずれの調整を行うことができる。そこで、上記のような構成とすると、カバーに設けた被係止部が樹脂プロテクタに設けた係止部に係合した状態で薄肉部および前記肉厚部の並び方向と交差する方向に移動することで、ずれ調整部により調整がされる方向と交差する方向における位置ずれを調整することができる。また、カバーが樹脂プロテクタに対して係合するので、カバーの脱落が防止できる。
【００１５】
カバーには前記樹脂プロテクタに対して位置決めされる位置決め部が設けられていてもよい。
このような構成とすると樹脂プロテクタにカバーを取り付ける際の作業効率が向上する。
【発明の効果】
【００１６】
本発明によれば、確実に取り付けることのできる電池配線モジュールのカバーおよび電池配線モジュールを提供することを目的とする。
【図面の簡単な説明】
【００１７】
【図１】実施形態１の電池モジュールの平面図
【図２】電池モジュールの正面図
【図３】カバーが取り外された状態の電池モジュールの平面図
【図４】電池配線モジュールの平面図
【図５】第１バスバーの平面図
【図６】第２バスバーの平面図
【図７】樹脂プロテクタの平面図
【図８】カバーの平面図
【図９】カバーと樹脂プロテクタとが係合する前の様子を示す電池モジュールの正面図
【図１０】自然状態のカバーの側面図
【図１１】ずれ調整部が伸長している状態のカバーの側面図
【図１２】図１のＡ−Ａ線における一部断面図
【発明を実施するための形態】
【００１８】
＜実施形態１＞
以下、本発明の実施形態１を、図１ないし図１２を参照しつつ説明する。図１は、実施形態１に係る電池モジュール１の平面図であり、図２は、電池モジュール１の正面図である。また、図３は、カバー３０が取り外された状態の電池モジュール１の平面図である。図１における下側が、電池モジュール１の前側（正面側）に対応し、図１における上側が、電池モジュール１の後側（背面側）に対応する。
【００１９】
本実施形態の電池モジュール１は、たとえば、電気自動車やハイブリッド車等の車両用の駆動源として用いられる。電池モジュール１は、単電池群２と、この単電池群２に取り付けられる電池配線モジュール１０と、この電池配線モジュール１０に取り付けられるカバー３０とを備える
【００２０】
単電池群２は、４個の単電池３を並べてなる単電池列２Ａ，２Ｂを、間隔をあけて２列に並べたものからなる。ここで、２つの単電池列２Ａ，２Ａを区別するときは、図１における左側の単電池列２Ａを第１単電池列２Ａとし、図示右側の単電池列２Ｂを第２単電池列２Ｂとする。
【００２１】
単電池群２を構成する各単電池３は、それぞれ内部に発電要素（図示せず）を備えている。単電池３は、発電要素を内部に含む扁平な直方体状の本体部３Ａと、この本体部３Ａの上面３Ｂ（端子形成面３Ｂ）に設けられる２つの電極端子４（４Ａ，４Ｂ）とを備えている。一方の電極端子４Ａが正極端子であり、他方の電極端子４Ｂが負極端子である。
【００２２】
各電極端子４Ａ，４Ｂは、単電池３の端子形成面３Ｂにおいて、それぞれ上方に向けて垂直に突出した形をなしている。電極端子４Ａ，４Ｂは、角筒状のナットからなり、その中心に円形のネジ孔５が貫通形成されている。
【００２３】
２つの単電池列２Ａ，２Ｂを構成する各単電池３は、各々の電極端子４Ａ，４Ｂが上方を向くように並べられている。そして、単電池列２Ａ，２Ｂの各単電池３は、隣り合った単電池３同士において、隣接する電極端子４同士が互いに対極同士となるように並べられている。つまり単電池列２Ａ，２Ｂの前後方向において、各電極端子４が正負交互に並んでいる。
【００２４】
また、第１単電池列２Ａの各単電池３と第２単電池列２Ｂの各単電池３との間においても、異なった単電池列２Ａ，２Ｂ間で隣り合った単電池３同士において隣接する電極端子４同士も、互いに対極同士となっている。なお、第１単電列２Ａ及び第２単電池列２Ｂの各電極端子４（４Ａ，４Ｂ）は、同一平面上に配されている。第１単電池列２Ａ及び第２単電池列２Ｂは、各単電池３の下面側（端子が形成されている面とは反対側の面）に配されている保持板（図示せず）に載置された状態で、それぞれ固定されている。
【００２５】
電池配線モジュール１０は、図３に示すように、第１単電列２Ａ及び第２単電池列２Ｂの上に載せられる形で、単電池群２に取り付けられている。つまり、単電池群２を構成する複数の単電池３は、電池配線モジュール１０によって接続されている。このような電池配線モジュール１０は、図４に示すように、複数本のバスバー１１と、これらのバスバー１１を収容する容器状の樹脂プロテクタ２０とを備えている。
【００２６】
バスバー１１は、銅、銅合金、ステンレス鋼（ＳＵＳ）、アルミニウム等の金属材料を所定形状に加工したものからなる。本実施形態の場合、バスバー１１として、長さが異なる２種類のものが用いられる。これらのうち、長い方を第１バスバー１１Ａと称し、短い方を第２バスバー１１Ｂと称する。なお、第１バスバー１１Ａと第２バスバー１１Ｂを総括するときはバスバー１１とする。
【００２７】
図５は、第１バスバー１１Ａの平面図である。図５に示されるように、第１バスバー１１Ａは、長尺状をなし、その長手方向における両端部には、それぞれ、固定用ボルト６の軸部６Ａが挿通される通し孔１２が設けられている。また第１バスバー１１Ａの各端部には、それぞれ通し孔１２を挟むように、切欠部１３が設けられている。
【００２８】
図６は、第２バスバー１１Ｂの平面図である。図６に示されるように、第２バスバー１１Ｂは、第１バスバー１１Ａよりも長さが短いものの、その基本的な構成は、第１バスバー１１Ａと同じである。具体的には、第２バスバー１１Ｂは、略長方形状をなし、その長手方向における両端部には、固定用ボルト６の軸部６Ａが挿通される通し孔１２と、通し孔１２を挟むように切欠部１３が設けられている。
【００２９】
各バスバー１１は、単電池群２に複数個所ある対極同士の電極端子４Ａ，４Ｂ間を電気的に接続するように架け渡される。そして、各バスバー１１によって、単電池群２を構成する各単電池３が、互いに直列接続される。第１バスバー１１Ａは、第１単電池列２Ａと第２単電池列２Ｂとの間において、隣り合った単電池３同士が有する対極同士の電極端子４Ａ，４Ｂ間を、電気的に接続するために用いられる。これに対して、第２バスバー１１Ｂは、第１単電池列２Ａ及び第２単電池列２Ｂのそれぞれにおいて、前後方向で隣り合った単電池３同士が有する対極同士の電極端子４Ａ，４Ｂ間を、電気的に接続するために用いられる。なお各バスバー１１は、樹脂プロテクタ２０に保持された状態で用いられる（図３及び図４を参照）。
【００３０】
バスバー１１の端部は、電極端子４上に重ね合わせられた状態で、電極端子４に固定される。その際、各バスバー１１の端部にある通し孔１２の位置と、電極端子４が有するネジ孔５の位置とが合わせられる。そして、バスバー１１の通し孔１２及び電極端子４のネジ孔５に、それぞれ固定用ボルト６の軸部６Ａが挿入され、バスバー１１及び電極端子４が互いに密着するように前記固定用ボルト６がネジ孔５に螺着される。
【００３１】
なお、バスバー１１に設けられている通し孔１２の形状は、上面視長穴状となっており、電極端子４のネジ穴５よりも大きく設定されている。そして、通し孔１２はバスバー１１の長手方向に拡がった形をなしている。バスバー１１は、このような長穴状の通し孔１２を備えているため、電極端子４の位置が、本来あるべき位置からずれてしまったとしても、固定用ボルト６を挿入できるように、その電極端子４のネジ孔５に、バスバー１１の通し孔１２を位置合わせすることができる。なお、このような電極端子４の位置ずれは、例えば、単電池３における電極端子４の取付誤差、単電池３の膨張等による変形、第１単電池列２Ａ及び第２単電池列２Ｂにおける配置間隔の誤差等によって生じる。
【００３２】
樹脂プロテクタ２０は、絶縁性を有する合成樹脂材料を、所定形状に加工したものからなる。図７は、樹脂プロテクタ２０を構成する各連結ユニット２１Ａ，２１Ｂ，２１Ｃ，２１Ｄの平面図である。本実施形態の樹脂プロテクタ２０は、図７に示される４つの連結ユニット２１Ａ，２１Ｂ，２１Ｃ，２１Ｄが、互いに組み合せられたものからなる。
【００３３】
連結ユニット２１Ａは、連結ユニット２１Ｂと組み合せられる。そして、これらの連結ユニット２１Ａ，２１Ｂによって、第１バスバー１１Ａを保持し収容するバスバー収容部２２（２２Ａ）が２つ形成される。バスバー収容部２２Ａは、図７の左右方向に沿って延びた小型の容器状をなしており、その内側で第１バスバー１１Ａを保持する。また、バスバー収容部２２Ａは、第１バスバー１１Ａの長手方向に沿って伸縮可能に構成されている。
【００３４】
バスバー収容部２２Ａは、第１バスバー１１Ａが載せられる底板部２３Ａと、この底板部２３Ａの周りを囲む周壁部２３Ｂとを備えている。底板部２３Ａ及び周壁部２３Ｂは、それぞれ連結ユニット２１Ａ側と、連結ユニット２１Ｂ側とに分かれている。底板部２３Ａにおける長手方向の両端には、それぞれ開口部２４が設けられている。この開口部２４においては、第１バスバー１１Ａの端部を、電極端子４と接触できるようにバスバー収容部２２Ａから露出させている。
【００３５】
周壁部２３Ｂの内面側には、第１バスバー１１Ａがその厚み方向に浮き上がるのを規制する規制突起２６が複数個設けられている。この規制突起２６は、周壁部２３Ｂの内面から突出した形状をなしており、第１バスバー１１Ａをその上面側から底板部２３Ａ側に向かって押さえている。また、周壁部２３Ｂの内面側には、第１バスバー１１Ａの各切欠部１３とそれぞれ係合する係合突起２７が複数個設けられている。図４に示されるように、係合突起２７は、周壁部２３Ｂの内面から突出した形状をなすと共に、第１バスバー１１Ａの長手方向に沿って延びた形状をなしている。また、係合突起２７は、切欠部１３よりも小さく設定されており、そして、係合突起２７の長手方向における両端部分と切欠部１３との間に、予め隙間が設けられている。
【００３６】
バスバー収容部２２Ａの連結ユニット２１Ａ側は、その係合突起２７が切欠部１３内を移動できる範囲内において、第１バスバー１１Ａの長手方向に沿って左右方向に移動することができる。同様に、バスバー収容部２２Ａの連結ユニット２１Ｂ側も、その係合突起２７が切欠部１３内を移動できる範囲内において、第１バスバー１１Ａの長手方向に沿って左右方向に移動することができる。このようにして、バスバー収容部２２Ａは、第１バスバー１１Ａの長手方向に沿って伸縮可能（スライド可能）となっている。
【００３７】
また、連結ユニット２１Ｃは、連結ユニット２１Ｄと組み合せられる。そして、これらの連結ユニット２１Ｃ，２１Ｄによって、第１バスバー１１Ａを収容するバスバー収容部２２Ａが２つ形成される。これらの連結ユニット２１Ｃ，２１Ｄによって形成されるバスバー収容部２２Ａの基本的な構成は、上述した２つの連結ユニット２１Ａ，２１Ｂによって形成されるバスバー収容部２２Ａと同様である。これらの連結ユニット２１Ｃ，２１Ｄによって形成されるバスバー収容部２２Ａも、第１バスバー１１Ａの長手方向に沿って伸縮可能（スライド可能）となっている。
【００３８】
また、上述した連結ユニット２１Ａは、連結ユニット２１Ｃとも組み合せられる。そして、これらの連結ユニット２１Ａ，２１Ｃによって、第２バスバー１１Ｂを保持し収容するバスバー収容部２２（２２Ｂ）が１つ形成される。バスバー収容部２２Ｂは、図７の上下方向に沿って延びた小型の容器状をなしており、その内側で第２バスバー１１Ｂを保持する。また、バスバー収容部２２Ｂは、第２バスバー１１Ｂの長手方向に沿って伸縮可能に構成されている。
【００３９】
バスバー収容部２２Ｂは、第２バスバー１１Ｂが載せられる底板部２３Ａと、この底板部２３Ａの周りを囲む周壁部２３Ｂとを備えている。底板部２３Ａ及び周壁部２３Ｂは、それぞれ連結ユニット２１Ａ側と、連結ユニット２１Ｃ側とに分かれている。底板部２３Ａにおける長手方向の両端には、それぞれ開口部２４が設けられている。この開口部２４においては、第２バスバー１１Ｂの端部を、電極端子４と接触できるようにバスバー収容部２２から露出させている。
【００４０】
周壁部２３Ｂの内面側には、第２バスバー１１Ｂがその厚み方向に浮き上がるのを規制する規制突起２６が複数個設けられている。この規制突起２６は、周壁部２３Ｂの内面から突出した形状をなしており、第２バスバー１１Ｂをその上面側から底板部２３Ａ側に向かって押さえている。また、周壁部２３Ｂの内面側には、第２バスバー１１Ｂの各切欠部１３とそれぞれ係合する係合突起２７が複数個設けられている。図４に示されるように、係合突起２７は、周壁部２３Ｂの内面から突出した形状をなすと共に、第２バスバー１１Ｂの長手方向に沿って延びた形状をなしている。また、係合突起２７は、切欠部１３よりも小さく設定されており、そして、係合突起２７の前記長手方向における両端部分と切欠部１３との間に、予め隙間が設けられている。
【００４１】
バスバー収容部２２Ｂの連結ユニット２１Ａ側は、その係合突起２７が切欠部１３内を移動できる範囲内において、第２バスバー１１Ｂの長手方向に沿って図７の上下方向に移動することができる。同様に、バスバー収容部２２Ｂの連結ユニット２１Ｃ側も、その係合突起２７が切欠部１３内を移動できる範囲内において、第２バスバー１１Ｂの長手方向に沿って図７の上下方向に移動することができる。このようにして、バスバー収容部２２Ｂは、第２バスバー１１Ｂの長手方向に沿って伸縮可能（スライド可能）となっている。
【００４２】
また、連結ユニット２１Ｂは、連結ユニット２１Ｄとも組み合せられる。そして、これらの連結ユニット２１Ｂ，２１Ｄによって、第２バスバー１１Ｂを収容するバスバー収容部２２Ｂが１つ形成される。これらの連結ユニット２１Ｂ，２１Ｄによって形成されるバスバー収容部２２Ｂの基本的な構成は、上述した連結ユニット２１Ａ，２１Ｃによって形成されるバスバー収容部２２Ｂと同様である。これらのユニット２１Ｂ，２１Ｄによって形成されるバスバー収容部２２Ｂも、第２バスバー１１Ｂの長手方向に沿って伸縮可能（スライド可能）となっている。
【００４３】
なお、連結ユニット２１Ｃには、第２バスバー１１Ｂを保持し収容するバスバー収容部２２（２２Ｃ）が設けられている。このバスバー収容部２２Ｃは、第２バスバー１１Ｂの長手方向に沿って伸縮しないものの、バスバー収容部２２Ｂと同様、底板部２３Ａと、この底板部２３Ａを取り囲む周壁部２３Ｂとを備えている。また、バスバー収容部２２Ｃは、バスバー収容部２２Ｂと同様、開口部２４，規制突起２６等を備えている。
【００４４】
また、連結ユニット２１Ｂと連結ユニット２１Ｄとには、それぞれ開口部２５が設けられている。これらの開口部２５からは、電池配線モジュール１０が単電池群２に載せられた際に、直列接続された各単電池３の端部に位置する電極端子４がそれぞれ露出される。
【００４５】
連結ユニット２１Ｂの開口部２５からは、第２単電池列２Ｂの最も後方（図３の最も上側）にある単電池３の電極端子４が露出される（図３参照）。これに対して、連結ユニット２１Ｄの開口部２５からは、第２単電池列２Ｂの最も前方（図３の最も下側）にある単電池３の電極端子４が露出される（図３参照）。なお、これらの開口部２５から露出した電極端子４には、それぞれ外部接続端子（図示せず）が接続される。そして、これらの外部接続端子には、外部のインバータ等に繋がる電線端末が接続される。
【００４６】
このような樹脂プロテクタ２０は、電極端子４の取付誤差等によって生じるバスバー１１の端部と電極端子４との位置ずれ等に応じて、左右方向（第１バスバー１１Ａの長手方向）及び前後方向（第２バスバー１１Ｂの長手方向）に、それぞれある程度、伸長し、又は収縮して、変形（伸縮変形）することができる。
【００４７】
また、樹脂プロテクタ２０は、４つの連結ユニット２１Ａ，２１Ｂ，２１Ｃ，２１Ｄを連結してなる樹脂プロテクタ２０は、全体的に見て、１つの角筒状の周壁２０Ａを備えているとも言える（図３を参照）。周壁２０Ａは、上面から見て概ね矩形状であり、各連結ユニット２１Ａ，２１Ｂ，２１Ｃ，２１Ｄにおいて外側に配されているバスバー収容部２２Ａ，２２Ｂ，２２Ｃの周壁部２３Ｂと、それ以外の各連結ユニット２１Ａ，２１Ｂ，２１Ｃ，２１Ｄの壁状の部分とから構成されている。なお、周壁２０Ａの高さは、電池配線モジュール１０が単電池群２に取り付けられる際に、工具を不要にバスバー１１と接触させないことなどが考慮され、適宜、設定される。本実施形態の場合、周壁２０Ａの高さは、全周に亘って同じになるように設定されている。周壁２０Ａのうち単電池列２Ａ，２Ｂの並び方向（図３における左右方向）の周壁を２０１Ａとし、図３における上下方向の周壁を２０２Ａとする。
【００４８】
樹脂プロテクタ２０内には、バスバー１１以外に、各単電池３の電圧を検知するための複数個の電圧検知端子（図示せず）が設けられている。電圧検知端子は、各バスバー１１上に重ねられ、そして各電圧検知端子には、電圧検知用電線（図示せず）が圧着等によってそれぞれ接続されている。なお、これらの電圧検知用電線は、図示しない電池ＥＣＵに接続されている。この電池ＥＣＵは、マイクロコンピュータ、素子等が搭載されたものであって、各単電池３の電圧、電流、温度等の検知や、各単電池３の放充電制御コントロール等を行うための機能を備えた周知の構成のものである。
【００４９】
樹脂プロテクタ２０の周壁２０Ａのうち２つの単電池列２Ａ，２Ｂの並び方向（図３における左右方向）に配される２つの周壁２０１Ａ、２０１Ａには図３に示すように、複数の係止部２８と、位置決め突部２９が、それぞれ設けられている。位置決め突部２９は図２に示すように、第１単電池列２Ａに対応する位置に配される周壁２０１Ａに設けた２つの係止部２８の間に設けられている。
【００５０】
係止部２８にはカバー３０に設けた被係止部３２が係合するようになっており、位置決め突部２９にはカバー３０に設けた位置決め凹部３３（位置決め部の一例）が嵌合するようになっている。この位置決め突部２９が位置決め凹部３３に嵌合することによって、カバー３０を樹脂プロテクタ２０に取り付ける際に、カバー３０が樹脂プロテクタ２０に対して位置決めされる。
【００５１】
係止部２８および位置決め突部２９は周壁２０１Ａから外側方向に突出するように設けられている。係止部２８の上端側の面は上側から下側に向かって傾斜する傾斜面２８Ａとされこの傾斜面２８Ａにより被係止部３２が案内されるようになっている。係止部２８の傾斜面２８Ａの下側の面は、被係止部３２と接触して、係止部２８を被係止部３２に係止された状態とする係止面２８Ｂである（図１２を参照）。
【００５２】
カバー３０は、図１に示すように、上面視略矩形状をなしている。カバー３０は、工具等がバスバー１１に接触して電池モジュール１が短絡すること等を防止するために、樹脂プロテクタ２０の開口（周壁２０Ａの上端部分が囲む部分）を覆うように、樹脂プロテクタ２０に対して着脱可能に取り付けられる。カバー３０は、樹脂プロテクタ２０と同様、絶縁性の合成樹脂材料からなる。
【００５３】
カバー３０は、板状のカバー本体部３１と、カバー本体部３１の長辺側の端部に設けられる複数個の被係止部３２および位置決め凹部３３とを備えている。カバー３０の被係止部３２は樹脂プロテクタ２０の係止部２８に係合するようになっており、位置決め凹部３３は、樹脂プロテクタ２０の位置決め突部２９に嵌合して、位置決めされるようになっている。
【００５４】
カバー３０の被係止部３２は枠状（環状）をなしており、係止部２８に対応して長辺側の２つの側面にそれぞれ複数個（４個）設けられている。被係止部３２は、図２に示す上下方向に配される２つの縦枠部３２Ａと２つの縦枠部３２Ａをつなげる横枠部３２Ｂとを備える。被係止部３２の縦枠部３２Ａと横枠部３２Ｂに囲まれた部分は係止部２８を挿入可能に開口する開口部３２Ｃである。
【００５５】
被係止部３２の開口部３２Ｃの大きさは、係止部２８と縦枠部３２Ａとの間に一定の大きさを有する隙間３２Ｄが形成されるように設定される。そして、被係止部３２は、係止部２８に対して相対的に、樹脂プロテクタ２０の長辺方向（図１の左右方向）に移動することができるようになっている。
【００５６】
さて、本実施形態において、カバー３０の略中央部には、図１０〜図１２に示すように、他の部分よりも肉厚が小さい複数の薄肉部３４Ａ（本実施形態では３つ）と、２つの薄肉部３４Ａの間に形成され薄肉部３４Ａよりも肉厚が大きい肉厚部３４Ｂ（本実施形態では２つ）とが形成されている。薄肉部３４Ａおよび肉厚部３４Ｂは、図８に示すように、カバー３０の長手方向に沿って、一端部（図８の左端部）から他端部（図８の右端部）にかけて、帯状に形成されている。
【００５７】
本施形態では薄肉部３４Ａのところでカバー３０が折れ曲がることで、カバー３０を短辺方向に伸縮可能とすることができる（図１２を参照）。つまり、本実施形態では、カバー３０が、樹脂プロテクタ２０に対して、図１における左右方向に移動することができ、この薄肉部３４Ａと肉厚部３４Ｂとからなる部分がずれ調整部３４として機能する。
【００５８】
次に、電池配線モジュール１０を単電池群２に組み付ける工程について説明する。図１に示すように、４つの単電池３を並べてなる単電池列２Ａを２つ、左右方向に並べる。２つの単電池列２Ａ．２Ｂの電極端子４が形成された面の上に、図４に示す電池配線モジュール１０を載せる。その際、電池配線モジュール１０の各バスバー１１の端部が、各単電池列２Ａ，２Ｂの各電極端子４上にそれぞれ重ねられる。各バスバー１１は所定の電極端子４Ａ，４Ｂ間に、それぞれ架け渡される。
【００５９】
そして、バスバー１１の通し孔１２と、電極端子４に設けられているネジ孔５との位置合わせが行われる（図３参照）。この位置合わせを行う際に、電池配線モジュール１０（樹脂プロテクタ２０）は、電極端子４の取付誤差等に応じて、外観形状が変化する。電池配線モジュール１０が変形して、樹脂プロテクタ２０が短辺方向（電池モジュール１の前後方向）に伸長すると、隣り合った一部の係止部２８同士の間隔が広くなる。これに対して、電池配線モジュール１０が変形して、樹脂プロテクタ２０が短辺方向（電池モジュール１の前後方向）に収縮すると、隣り合った一部の係止部２８同士の間隔が狭くなる。
【００６０】
次に、互いに位置合わせされた通し孔１２とネジ孔５に、固定用ボルト６の軸部６Ａを通して、固定用ボルト６をネジ孔５に螺着することにより、バスバー１１が電極端子４に密着した状態で固定される。全てのバスバー１１を、固定用ボルト６を用いて電極端子４に固定することによって、単電池群２を構成する単電池３同士が互いに直列接続されると共に、電池配線モジュール１０自身が単電池群２に取り付けられる。
【００６１】
次に、電池配線モジュール１０にカバー３０を取り付ける工程について説明する。まずカバー３０を、図９に示すように、単電池群２に取り付けられた電池配線モジュール１０を覆うように、電池配線モジュール１０の上方に配する。そして、カバー本体部３１に形成した位置決め凹部３３を、樹脂プロテクタ２０の周壁２０Ａに設けられている位置決め突部２９に嵌合させて、カバー３０を、樹脂プロテクタ２０に位置決めする。
【００６２】
カバー３０を、樹脂プロテクタ２０に対して位置決めすると、カバー本体部３１に形成された各被係止部３２の位置が、樹脂プロテクタ２０に形成された各係止部２８の位置にそれぞれ合せられる。被係止部３２の横枠部３２Ｂは、係止部２８の傾斜面２８Ａ上に沿って移動しながら、下方へ移動する。被係止部３２は、案内部５１ａ上を沿って下方へ移動する際、外側に向かって拡開する。そして、被係止部３２の横枠部３２Ｂが、係止部２８の傾斜面２８Ａと係止面２８Ｂとを通過すると、被係止部３２が弾性復帰して、係止部２８が被係止部３２の開口部３２Ｃ内に入り込んだ状態となる。係止部２８が開口部３２Ｃ内に入り込むと、係止部２８の係止面２８Ｂが、被係止部３２の横枠部３２Ｂと係合した状態となる。つまり、枠状の被係止部３２は、突起状の係止部２８に対して引っ掛けられた状態となる。
【００６３】
なお、係止部２８が被係止部３２と係合した状態では、係止部２８の係止面２８Ｂが、被係止部３２の開口部３２Ｃよりも外側にはみ出した形となっており、カバー３０が上方に移動して外れることが抑制されている。このようにして、各係止部２８と各被係止部３２とを、それぞれ互いに係合させることによって、カバー３０が電池配線モジュール１０に取り付けられる。
【００６４】
このとき、本実施形態では、被係止部３２の開口部３２Ｃは、係止部２８と比べて大きく設定されており、係止部２８と被係止部３２との間には、図２に示すように、隙間３２Ｄが形成されているため、被係止部３２は、係止部２８と係合した状態で、樹脂プロテクタ２０の長辺方向にある程度、移動することができる。つまり、本実施形態では、樹脂プロテクタ２０の形状が、電極端子４間のピッチのずれを吸収するなどにより、その長辺方向に変化して、隣り合った係止部２８同士の間隔が変化したとしても、被係止部３２は樹脂プロテクタ２０の長辺方向に沿って係止部２８に対して相対的に移動しつつ係合することができる。
【００６５】
また、本実施形態では、単電池３の製造公差や組み付け公差などに起因して、樹脂プロテクタ２０が短辺方向に伸縮変形したとしても、カバー３０に設けた薄肉部３４Ａと肉厚部３４Ｂとから構成されるずれ調整部３４が伸縮することで、カバー３０は樹脂プロテクタ２０の短辺方向に相対的に移動させることができるので、樹脂プロテクタ２０に確実に取り付けることができる（図１０および図１１を参照）。
【００６６】
次に本実施形態の効果について説明する。
本実施形態においては、電池配線モジュール１０のカバー３０に、電極端子４間のピッチのずれに応じて変形または移動する樹脂プロテクタ２０の位置ずれを調整するずれ調整部３４が形成されているので、単電池群２を構成する単電池３の製造公差や組み付け公差や単電池群２を構成する各単電池３の膨張等により電極端子４のピッチのずれが生じて樹脂プロテクタ２０が変形したり移動することにより位置ずれを起こしたとしても、カバーにおいて樹脂プロテクタ２０の短辺方向への位置ずれを調整できる。
その結果、本実施形態によれば、電池配線モジュール１０（樹脂プロテクタ２０）が電極端子４間のピッチのずれを吸収して位置ずれを起こしたとしても、カバー３０に形成したずれ調整部３４により位置ずれが調整されるので、カバー３０を電池配線モジュール１０に確実に取り付けることができる。
【００６７】
特に、本実施形態によれば、ずれ調整部３４は、複数の薄肉部３４Ａと、２つの薄肉部３４Ａの間に形成され薄肉部３４Ａよりも肉厚が大きい肉厚部３４Ｂとからなる構成であるから、肉厚が小さい薄肉部３４Ａが折れ曲がることで伸縮可能とすることができ、簡易な構造でずれ調整を行うことができる（図１０および図１１を参照）。
【００６８】
また、本実施形態によれば、樹脂プロテクタ２０には係止部２８が設けられ、カバー３０には係止部２８に係合した状態で、樹脂プロテクタ２０の長辺方向に移動可能な被係止部３２が設けられているから、カバー３０に設けた被係止部３２が樹脂プロテクタ２０に設けた係止部２８に係合した状態で樹脂プロテクタ２０の長辺方向に移動することで、ずれ調整部３４により樹脂プロテクタ２０の短辺方向と交差する方向における位置ずれを調整することができる。また、本実施形態によれば、カバー３０が樹脂プロテクタ２０に対して係合するので、カバー３０の脱落が確実に防止できる。
【００６９】
さらに、本実施形態によれば、カバー３０には樹脂プロテクタ２０に対して位置決めされる位置決め凹部３３が設けられていているから、樹脂プロテクタ２０にカバー３０を取り付ける際の作業効率が向上する。
＜他の実施形態＞
本発明は上記記述及び図面によって説明した実施形態に限定されるものではなく、例えば次のような実施形態も本発明の技術的範囲に含まれる。
（１）上記実施形態では、樹脂プロテクタ２０の長辺方向に沿って薄肉部３４Ａと肉厚部３４Ｂとを交互に設けることでずれ調整部３４を設けたが、ずれ調整部３４を樹脂プロテクタ２０の短辺方向に沿って設けてもよい。また薄肉部３４Ａと肉厚部３４Ｂの数は図１等に示す数に限定されない。
（２）上記実施形態では、樹脂プロテクタ２０の単電池列２Ａ，２Ｂの並び方向に沿った周壁２０１Ａに係止部２８を４つずつ設けたが、樹脂プロテクタ２０の短辺方向に配される周壁２０２Ａに係止部２８を形成してもよい。また係止部２８の数は２つの周壁２０１Ａ，２０１Ａで相違していてもよい。
（３）上記実施形態では、位置決め部としてカバー３０に位置決め凹部３３を設けたが、カバー３０に突起状の位置決め部を設けて、カバー３０の突起状の位置決め部を嵌合あるいは係止可能な位置決め凹部３３を樹脂プロテクタ２０に設けてもよい。
（４）上記実施形態では、１つのカバー３０を備える電池配線モジュール１０を示したが、２以上のカバー３０を備える電池配線モジュールであってもよい。
なお、実施形態１のように１つのカバー３０を備える構成とすると、取り付け作業を簡易なものとすることができるので好ましい。
（５）上記実施形態では４つの単電池３を並べて１つの単電池列を構成したが、単電池列を構成する単電池３の数は３以下あるいは５以上であってもよい。
（６）上記実施形態では単電池列２Ａ，２Ｂを２列に並べてなる単電池群２を示したが、単電池列を１列としてもよいし３列以上としてもよい。
（７）上記実施形態では、複数の連結ユニットを連結させてなる樹脂プロテクタを示したが、これに限定されない。樹脂プロテクタは連結しない複数のユニットからなるものであってもよい。複数のユニットからなる樹脂プロテクタを備える場合、カバーはユニットごとに設けてもよいし、複数のユニットに対して１のカバーを設けてもよい。
【符号の説明】
【００７０】
１…電池モジュール
２…単電池群
３…単電池
４…電極端子
４Ａ…正極の電極端子
４Ｂ…負極の電極端子
１０…電池配線モジュール
１１…バスバー
２０…樹脂プロテクタ
２１Ａ，２１Ｂ，２１Ｃ，２１Ｄ…連結ユニット
２２…バスバー収容部
２８…係止部
２９…位置決め突部
３０…カバー
３２…被係止部
３２Ｄ…隙間
３３…位置決め凹部（位置決め部）
３４…ずれ調整部
３４Ａ…薄肉部
３４Ｂ…肉厚部
【図１】
0005209766.tif 000002
【図２】
0005209766.tif 000003
【図３】
0005209766.tif 000004
【図４】
0005209766.tif 000005
【図５】
0005209766.tif 000006
【図６】
0005209766.tif 000007
【図７】
0005209766.tif 000008
【図８】
0005209766.tif 000009
【図９】
0005209766.tif 000010
【図１０】
0005209766.tif 000011
【図１１】
0005209766.tif 000012
【図１２】
0005209766.tif 000013